(57)【要約】【課題】回転装身具の回転装飾体を段階的に回転することができて、所定の位置で確実にホールドするという機能を備えており、したがって、各段階における組み付け状態においてそれぞれ適宜のモチーフを表現するという機能を有する回転装身具を提供するものである。【解決手段】装飾性基台と、該装飾性基台に回転可能に軸着した回転装飾体とで構成され、装飾性基台は表面の適所に回転軸を立設するとともに、その周囲に複数の磁石を所定の間隔で配設し、前記回転軸に回転可能に軸着した回転装飾体は前記磁石と対向するよう裏面に複数の磁石を所定の間隔で配設して、装飾性基台と回転装飾体とに配設した磁石の近接する部位をそれぞれ異なる磁極とすることにより、装飾性基台上を回転装飾体が所定の角度で段階的に回転することを可能としたことを特徴とする回転装身具。【選択図】  図３
0003135998.tif 000002
【実用新案登録請求の範囲】
【請求項１】
装飾性基台と、該装飾性基台に回転可能に軸着した回転装飾体とで構成され、装飾性基台は表面の適所に回転軸を立設するとともに、その周囲に複数の磁石を所定の間隔で配設し、前記回転軸に回転可能に軸着した回転装飾体は前記磁石と対向するよう裏面に複数の磁石を所定の間隔で配設して、装飾性基台と回転装飾体とに配設した磁石の近接する部位をそれぞれ異なる磁極とすることにより、装飾性基台上を回転装飾体が所定の角度で段階的に回転することを可能としたことを特徴とする回転装身具。
【請求項２】
装飾性基台と、該装飾性基台に回転可能に軸着した回転装飾体とが、装飾性基台上を回転装飾体が所定の角度で段階的に回転する各段階において、その組み付け状態においてそれぞれ適宜のモチーフを表現するようにしたことを特徴とする請求項１記載の回転装身具。
【請求項３】
装飾性基台と回転装飾体とに配設された複数の磁石が、それぞれ少なくとも４つ以上であることを特徴とする請求項１または２記載の回転装身具。
【請求項４】
装飾性基台と回転装飾体のいずれかにチェーン類を挿通する吊下孔が形成されていることを特徴とする請求項１ないし３のいずれか記載の回転装身具。
【考案の詳細な説明】
【技術分野】
【０００１】
この考案は、主としてネックレス等の装身具に適用される回転装身具に係り、特に、磁石を利用したタイプの回転装身具に関する。
【背景技術】
【０００２】
登録実用新案第３１１６６７０号公報（特許文献１参照）、特表２００５−５２８１５３号公報（特許文献２参照）、特開平１１−２６６９１４号公報（特許文献３参照）、実開昭４９−１７５９１号公報（特許文献４参照）等において、回転装飾体を備えた種々の装身具が知られている。
【０００３】
例えば、登録実用新案第３１１６６７０号公報（特許文献１参照）においては、コイルバネにて外側部材に組み込みできる内側部材とよりなる下げ飾り装身具であり、外側部材は内側に輪状の抜き孔を備えていて、その内周面に内側部材をはめ込み、内側部材は輪状の抜き孔を介して周方向に回転可能としたものである。
【０００４】
前記特表２００５−５２８１５３号公報（特許文献２参照）は、宝石及び／または他の装飾を支持するセッティングからなる宝飾品であって、支持セッティングを装飾体によって一部を覆い、宝石及び／またはセッティングの装飾部分の一部を隠して、セッティングの表面に垂直な軸の周りでの回転とピースの回転の各段階で自動的にロックするためのメカニズムを備えている宝飾品である。
【０００５】
特開平１１−２６６９１４号公報（特許文献３参照）は、リング状に形成された支持部材の上部に２面以上の面を持つ回転体を、回転可能に取り付け、この回転体の各面に、宝石や装飾体を設け、押しバネの作用により各面で停止可能となる身飾品である。
【０００６】
実開昭４９−１７５９１号公報（特許文献４参照）は、円盤の裏面に２枚の回転円盤を重合し、３者をその中心において相互に捻回自在に軸承するとともに、同円盤の周縁寄りの個所に２連の覗窓を開設し、内側の回転円盤において一方の覗窓に対応する円周上に１年間の「月」を、また外側の回転円盤において他方の覗窓に対応する円周上に一ヶ月間の「日」をそれぞれ表記し、当該各回転円盤を捻回して２連の覗窓に所望の「月」、「日」を表示するようにしてなるペンダントである。
【特許文献１】登録実用新案第３１１６６７０号公報
【特許文献２】特表２００５−５２８１５３号公報
【特許文献３】特開平１１−２６６９１４号公報
【特許文献４】実開昭４９−１７５９１号公報
【考案の開示】
【考案が解決しようとする課題】
【０００７】
しかしながら、いずれの回転装身具も回転部材を所定の位置に係止するためにコイルバネや素材の弾性を利用したロックためのメカニズムを用いたものであり、係合がルーズで所定位置で保持しにくかったり、逆に係合がきつすぎて回しにくくなってしまったりするという問題があった。
【０００８】
また、いずれの回転装身具も回転部材を段階的に回転することを可能とするとともに、所定の位置で確実にホールドするという機能を備えておらず、したがって、各段階における組み付け状態においてそれぞれ適宜のモチーフを表現するという機能を有するものではなかった。
【０００９】
この考案は以上の技術的課題を解決するためになされたものであって、回転装身具の回転装飾体を段階的に回転することができて、所定の位置で確実にホールドするという機能を備えており、したがって、各段階における組み付け状態においてそれぞれ適宜のモチーフを表現するという機能を有する回転装身具を提供するものである。
【課題を解決するための手段】
【００１０】
すなわちこの考案の回転装身具は、装飾性基台と、該装飾性基台に回転可能に軸着した回転装飾体とで構成され、装飾性基台は表面の適所に回転軸を立設するとともに、その周囲に複数の磁石を所定の間隔で配設し、前記回転軸に回転可能に軸着した回転装飾体は前記磁石と対向するよう裏面に複数の磁石を所定の間隔で配設して、装飾性基台と回転装飾体とに配設した磁石の近接する部位をそれぞれ異なる磁極とすることにより、装飾性基台上を回転装飾体が所定の角度で段階的に回転することを可能としたことを特徴とするものである。
【００１１】
この考案の回転装身具は、前記装飾性基台と、該装飾性基台に回転可能に軸着した回転装飾体とが、装飾性基台上を回転装飾体が所定の角度で段階的に回転する各段階において、その組み付け状態においてそれぞれ適宜のモチーフを表現するようにしたことをも特徴とするものである。
【００１２】
この考案の回転装身具は、前記装飾性基台と回転装飾体とに配設された複数の磁石が、それぞれ少なくとも４つ以上であることをも特徴とするものである。
【００１３】
この考案の回転装身具は、前記装飾性基台と回転装飾体のいずれかにチェーン類を挿通する吊下孔が形成されていることをも特徴とするものである。
【考案の効果】
【００１４】
以上に説明してきたように、この考案によれば、回転装身具の回転装飾体を段階的に回転することができて、所定の位置で確実にホールドするという機能を備えており、したがって、各段階における組み付け状態においてそれぞれ適宜のモチーフを表現するという機能を有する回転装身具を提供することができる。
なお、いわゆるクラスプと称する装身具用連結金具においては、磁石を用いてチェーン類の両端の連結金具どうしを連結することが行なわれているが、該磁石はあくまで連結金具の連結機能を果たすためのものであって、回転装身具の回転装飾体を段階的に回転させたり、各段階における組み付け状態において適宜のモチーフを表現するという機能を持つものではないことはいうまでもない。
【考案を実施するための最良の形態】
【００１５】
以下、添付図面に示す実施の形態に基いてこの考案の回転装身具を詳細に説明する。
図１はこの考案の回転装身具の１実施例を示し、装飾性基台と回転装飾体とを分離した状態の正面図、図２はその背面図、図３は両者を組み付けた状態の正面図、図４は回転装飾体を９０°回した状態の正面図、図５はその横断面図、図６は回転装飾体を回して各段階の中間位置とした状態の正面図である。
【００１６】
図１および図２に示すように、この考案の回転装身具１１は、装飾性基台１２と、該装飾性基台１２に回転可能に軸着した回転装飾体１３とで構成され、装飾性基台１２は表面の適所に回転軸１４が立設されている。そしてこの回転軸１４に前記回転装飾体１３が回転可能に軸着してある。
また前記装飾性基台１２と回転装飾体１３とは、それぞれ回転軸１４の周囲に複数の磁石１５，１６が所定の間隔で配設されており、磁石１５，１６は互いに向き合う状態で装飾性基台１２表面および回転装飾体１３裏面に保持されている。
【００１７】
前記装飾性基台１２と回転装飾体１３において、回転軸１４の周囲に配設した複数の磁石１５，１６は、磁石１５，１６のそれぞれグループごとにＳ極およびＮ極の異なる磁極としてあるので、前記装飾性基台１２上を回転装飾体１３が回転する際、図では９０°ごとの角度で磁石１５，１６が吸着しあう。したがって回転装飾体１３は、装飾性基台１２上を９０°ごとに段階的に回転し、図５のように、各磁石１５，１６が吸着しあう位置において確実に保持される。
【００１８】
前記装飾性基台１２は、垂直方向に一対の楕円形装飾片２１を、水平方向に一対の楕円形装飾片２２を、それぞれ回転軸１４位置から放射状に連結し、各楕円形装飾片２１，２２間を蝶の羽根状の連結片２３で連結したものである。図では、垂直方向に設けた楕円形装飾片２１が、水平方向に設けた楕円形装飾片２２よりも１．５〜２倍程度大きく形成されている。なお、前記磁石１５は各楕円形装飾片２１，２２のほぼ中ほどに設けた円筒状の取付枠２４内に装着され、接着剤等で固定されている。
前記回転装飾体１３も、垂直方向に一対の楕円形装飾片３１を、水平方向に一対の楕円形装飾片３２を、それぞれ回転軸の挿通孔３３位置から放射状に連結したものである。図では、水平方向に設けた楕円形装飾片３２が、垂直方向に設けた楕円形装飾片３１よりも１．５〜２倍程度大きく形成されている。なお、前記磁石１６は各楕円形装飾片３１，３２のほぼ中ほどに設けた円筒状の取付枠３４内に装着され、接着剤等で固定されている。
【００１９】
図１および図２の装飾性基台１２と回転装飾体１３とを組み付けると、図３の状態に組み付けられる。すなわち、前記回転装飾体１３の垂直方向の楕円形装飾片３１が、前記装飾性基台１２の垂直方向の楕円形装飾片２１の上に重なり合い、回転装飾体１３の水平方向の楕円形装飾片３２が、装飾性基台１２の水平方向の楕円形装飾片２２上に重なり合って、互いに磁石１５，１６間で吸着し合うので、回転装飾体１３は当該位置において装飾性基台１２上に強固に保持されるのである。
次に、回転装飾体１３を磁石１５，１６の吸着力に抗して回し、装飾性基台１２上を９０°回転させると、図４に示すように、前記回転装飾体１３の垂直方向の楕円形装飾片３１は、前記装飾性基台１２の水平方向の楕円形装飾片２２の上に重なり合い、回転装飾体１３の水平方向の楕円形装飾片３２は、装飾性基台１２の垂直方向の楕円形装飾片２１上に重なり合って、互いに磁石１５，１６間で吸着し合うので、回転装飾体１３は当該位置において装飾性基台１２上に強固に保持されるのである。
【００２０】
そして、該装飾性基台１２とこれに回転可能に軸着した回転装飾体１３とは、装飾性基台１２上を回転装飾体１３が所定の角度で段階的に回転する各段階において、その組み付け状態においてそれぞれ適宜のモチーフを表現するようになるのである。すなわち、図３に示す回転装身具においては、垂直および水平方向にほぼ等しい長さの楕円形装飾片が配置されて大きく羽を広げたモチーフとなり、図４に示す回転装身具においては、垂直方向がより長く、したがって楕円形装飾片がスマートな形状に配置されたそれぞれ異なるモチーフとなっている。
【００２１】
この考案の回転装身具においては、前記装飾性基台１２と回転装飾体１３とに配設された各磁石１５，１６が、それぞれ少なくとも４つ以上のグループのものであることが必要である。そして各磁石１５，１６のグループごとの数はそれぞれ対応していることが望ましいが、どちらか一方の数がやや欠けていても同様の機能を持たせることができる。
図示した例では各磁石１５，１６のグループごとの数を４つとしており、回転角度を９０°ごととしているが、６つとして６０°ごととしたり、また数を増やしてそれ以上の細かい角度で位置決めできるようにしてもよい。
【００２２】
この考案の回転装身具は、前記装飾性基台１２と回転装飾体１３のいずれかにチェーン類を挿通する吊下孔を形成しておくことができる。図では前記装飾性基台１２の先端部分に吊下孔４１が形成してあり、この吊下孔４１にチェーン類（図示せず）を挿通してペンダントヘッドやブローチその他の下げ飾り等として利用することができる。
【００２３】
次に、本実施の形態に係る回転装身具の使用方法について説明する。
先ず、装飾性基台１２と回転装飾体１３とを組み付けて図４の状態の回転装身具を得る。この状態から、磁石１５，１６の吸着力に抗して回転装飾体１３を図６の位置まで回すと、磁石１５，１６間には吸着力が作用しなくなるので、回転装飾体１３は自由に回すことができる。
前記回転装飾体１３をさらに図５の位置まで回すと、ふたたび磁石１５，１６間に吸着力が作用するので、回転装飾体１３は装飾性基台１２上を９０°回転した状態で接合吸着される。
もちろん、磁石１５，１６の吸着力に抗して回転装飾体１３をさらに９０°回すと、装飾性基台１２と回転装飾体１３とは図４の状態の回転装身具に戻る。
【産業上の利用可能性】
【００２４】
以上に説明してきたように、この考案によれば装飾性基台もしくは回転装飾体にチェーン類（図示せず）を挿通してペンダントヘッドやブローチその他の下げ飾り等として利用することができるだけでなく、指輪やその他の装身具にも適用できることはもちろんである。
さらに、眼鏡フレームや補聴器等の身体に装着して使用する各種の装身具として利用することも可能である。
【図面の簡単な説明】
【００２５】
【図１】この考案の回転装身具の１実施例を示し、装飾性基台と回転装飾体とを分離した状態の正面図である。
【図２】その背面図である。
【図３】両者を組み付けた状態の正面図である。
【図４】回転装飾体を９０°回した状態の正面図である。
【図５】その横断面図である。
【図６】回転装飾体を回して各段階の中間位置とした状態の正面図である。
【符号の説明】
【００２６】
１１  回転装身具
１２  装飾性基台
１３  回転装飾体
１４  回転軸
１５，１６  磁石
２１  楕円形装飾片
２２  楕円形装飾片
２３  連結片
２４  取付枠
３１  楕円形装飾片
３２  楕円形装飾片
３３  挿通孔
３４  取付枠
【図１】
0003135998.tif 000003
【図２】
0003135998.tif 000004
【図３】
0003135998.tif 000005
【図４】
0003135998.tif 000006
【図５】
0003135998.tif 000007
【図６】
0003135998.tif 000008